(57)【特許請求の範囲】
【請求項１】
車両の乗員室内に臨む車両内装部材(10)の基材部(21,31,41)に収容保持部(22,32,42)を形成して、物品(M,N,K)をこの収容保持部(22,32,42)に収容し得るようにした物品ホルダ(20,30,40)において、
前記収容保持部(22,32,42)の乗員室側の面を被覆する形状に成形されて、該収容保持部(22,32,42)の乗員室側の面に被着される弾力性を有する成形表皮材(25,35,45)と、
この成形表皮材(25,35,45)を前記収容保持部(22,32,42)から離間するように突出形成して、該収容保持部(22,32,42)側に開放する空間を有する凸形状に構成され、収容した前記物品(M,N,K)の外面に弾性的に係着する係着部(28,38,48)とを備えた
ことを特徴とする物品ホルダ。
【請求項２】
前記係着部(28,38,48)を除く前記成形表皮材(25,35,45)を、両面テープまたは接着剤により、基材部(21,31,41)および収容保持部(22,32,42)の外面に被着固定する請求項１記載の物品ホルダ。
【請求項３】
前記成形表皮材(25,35,45)の所要位置に第１係止部(29,39,49)を設けると共に、前記基材部(21,31,41)の所要位置に前記第１係止部(29,39,49)が係止可能な第２係止部(24,34,44)を設け、
前記第１係止部(29,39,49)を前記第２係止部(24,34,44)に嵌入係止させることで、前記成形表皮材(25,35,45)を前記基材部(21,31,41)の外面に被着固定する請求項１または２記載の物品ホルダ。
【請求項４】
前記物品ホルダ(20)は、各種硬貨(M)を保持可能なコインホルダであって、
前記収容保持部(22)は、前記硬貨(M)の外周の半周分に沿う曲面部(23a)が形成された保持壁(23)を有し、
前記成形表皮材(25)は、前記硬貨(M)の外周の半周分以上に沿う表皮部(27)を有し、
前記表皮部(27)の前記保持壁(23)から離間した部分が、前記係着部(28)として形成された請求項１〜３の何れか一項に記載の物品ホルダ。
【請求項５】
前記物品ホルダ(30)は、各種飲料容器(N)を保持可能なカップホルダであって、
前記収容保持部(32)は、前記飲料容器(N)を収容し得る保持壁(33)を有し、
前記成形表皮材(35)は、前記保持壁(33)を被覆する表皮部(37)を有し、
前記係着部(38)は、前記成形表皮材(25)から収容保持部(32)内へ山形状に突出して、前記飲料容器(N)の外周に３方向から等間隔に係着するように形成された請求項１〜３の何れか一項に記載の物品ホルダ。
【請求項６】
前記物品ホルダ(40)は、ＣＤケース(K)を保持可能なＣＤホルダであって、
前記収容保持部(42)は、複数の前記ＣＤケース(K)を並列状態で収容し得る保持壁(43)を有し、
前記成形表皮材(45)は、前記保持壁(43)を被覆する表皮部(46)を有し、
前記係着部(48)は、前記成形表皮材(25)から収容保持部(42)内へ前記ＣＤケース(K)の厚み寸法に見合った間隔毎に突出して、該ＣＤケース(K)を両側から挟持するように形成された請求項１〜３の何れか一項に記載の物品ホルダ。
【請求項７】
前記保持壁(33)の前記係着部(38)に対応する部位に、該係着部(38)が該保持壁(33)に接触するのを回避する通口(38a)が形成された請求項５記載の物品ホルダ。
【発明の詳細な説明】
【０００１】
【発明の属する技術分野】
この発明は、物品ホルダに関し、更に詳細には、乗用車等の乗員室内に設置される車両内装部材の所要位置に形成され、硬貨や飲料容器および音楽ＣＤケース等の各種物品を、車両の振動等によるがたつきを生ずることなく収容保持し得る物品ホルダに関するものである。
【０００２】
【従来の技術】
乗用車の乗員室内には、インストルメントパネルやフロアコンソールおよびドアパネル等の各種車両内装部材が設置されている。例えば図１４は、運転席と助手席との間のフロアに固定設置されるフロアコンソールを、コンソールリッドの開放状態で示す概略斜視図であり、また図１５は、図１４のＹ−Ｙ線で破断したフロアコンソール１０の部分側断面図である。このフロアコンソール１０の所要位置には、運転席および助手席に着座した乗員の身辺の各種小間物を、一時的に収容保持し得る各種の物品ホルダが形成されている。
【０００３】
例えば、フロアコンソール１０の構成部材の一つである上面パネル１１の傾斜部１１ａには、５００円,１００円,５０円,１０円等の各種硬貨Ｍに固有の直径サイズに見合った複数の収容保持部２２を基材部２１に形成したコインホルダ２０を設け、夫々の硬貨Ｍを種類毎に収容保持し得るようになっている。また、前記上面パネル１１の平坦部１１ｂには、３５０ｃｃのジュース缶や紙コップ等の飲料容器Ｎに固有の直径サイズに見合った収容保持部３２を基材部３１に形成したカップホルダ３０を設け、上方から収容した各種飲料容器Ｎを収容保持し得るようになっている。更に、フロアコンソール１０の構成部材の一つである収容箱体１２には、音楽等のコンパクトディスク(ＣＤ)等を収納したＣＤケースＫに固有の形状・サイズに見合った収容保持部４２を基材部４１に形成したＣＤホルダ４０を設け、複数枚のＣＤケースＫを保持し得るようになっている。
【０００４】
【発明が解決しようとする課題】
ところで、前記コインホルダ２０やカップホルダ３０およびＣＤホルダ４０は、フロアコンソール１０(前記上面パネル１１や収容箱体１２)に前記基材部２１,３１,４１を一体的に形成する形態のものや、該基材部２１,３１,４１を別体に形成して後で前記フロアコンソール１０に装着する形態のものがあるが、何れの形態でも夫々の基材部２１,３１,４１は合成樹脂製の一体成形品とされている。すなわち、前記コインホルダ２０の収容保持部２２、カップホルダ３０の収容保持部３２、ＣＤホルダ４０の収容保持部４２は、合成樹脂そのものが乗員室へ露出した状態となっており、保持される物品の数量が少ない場合やサイズが小さい場合には、車両の振動で傾倒したりずれ動いてしまう不都合があると共に、この際に不快な異音が発生する等の問題を内在していた。殊に、前記傾斜部１１ａに形成されたコインホルダ２０では、収容保持部２２に収容した硬貨Ｍが車両の振動で飛び出してしまう場合も有り得る。更には、合成樹脂製の基材部２１,３１,４１および収容保持部２２,３２,４２が乗員室から視認し得るため、質感低下を招来する欠点も指摘される。
【０００５】
【発明の目的】
本発明は、前述した課題を好適に解決するべく提案されたもので、物品ホルダの外面形状に合致する形状に成形すると共に所要位置に弾性変形可能な係着部を一体的に設けた成形表皮材を、合成樹脂製の基材部および収容保持部の外面へ全体的に被着することで、前記係着部の弾性的な係着により収容した物品の姿勢保持を図ると共に質感向上を図った物品ホルダを提供することを目的とする。
【０００６】
【課題を解決するための手段】
前記課題を解決して、所期の目的を達成するため本発明は、車両の乗員室内に臨む車両内装部材の基材部に収容保持部を形成して、物品をこの収容保持部に収容し得るようにした物品ホルダにおいて、
前記収容保持部の乗員室側の面を被覆する形状に成形されて、該収容保持部の乗員室側の面に被着される弾力性を有する成形表皮材と、
この成形表皮材を前記収容保持部から離間するように突出形成して、該収容保持部側に開放する空間を有する凸形状に構成され、収容した前記物品の外面に弾性的に係着する係着部とを備えたことを特徴とする。
【０００７】
【発明の実施の形態】
次に、本発明に係る物品ホルダにつき、好適な実施例を挙げて、添付図面を参照しながら以下説明する。なお前記物品ホルダは、インストルメントパネル、フロアコンソール、ドアパネル等の各種車両内装部材における乗員室内に臨む所要位置に設けられるが、本実施例では車両内装部材として前記フロアコンソール１０を例示すると共に、物品ホルダとして前記コインホルダ２０、カップホルダ３０、ＣＤホルダ４０を例示する。従って、図１４および図１５を基づく従来技術の項で既出の部材と同一部材に関しては、同一の符号を付して説明する。
【０００８】
【第１実施例】
図１は、本発明の第１実施例に係る物品ホルダの側断面図であって、前記フロアコンソール１０における上面パネル１１の傾斜部１１ａに設けたコインホルダ２０を例示している。この第１実施例に係るコインホルダ２０では、前記上面パネル１１に基材部２１が一体成形されると共に、この基材部２１および該基材部２１に形成された収容保持部２２の外面全体に、別途成形された成形表皮材２５を被着固定して構成されている。
【０００９】
(基材部)
前記基材部２１は、図１５に示した従来のコインホルダと基本的に同一形状に成形されており、図６に示す如く、横長矩形状の該基材部２１には、合計４個の収容保持部２２が横並び状に形成されている。前記各収容保持部２２は、５００円,１００円,５０円,１０円等の各種硬貨Ｍに固有の直径サイズに見合った縦断面Ｕ字形の保持壁２３で形成されており、夫々の硬貨Ｍを種類毎に収容保持し得るようになっている。なお、夫々の収容保持部２２の深さ寸法Ｈは、図１に示す如く、収容される硬貨Ｍの半径寸法Ｄ／２よりも大きく設定されており、これにより保持壁２３は、硬貨Ｍの外周の半周分に相当する曲面部２３ａと、この曲面部２３ａおよび基材部２１を連設する平面部２３ｂ,２３ｂとから形成されている。また基材部２１の外縁輪郭部には、係止孔部２４が所要間隔毎に開口形成され、成形表皮材２５に形成した後述の係止片部２９が嵌入係止されるようになっている。
【００１０】
(成形表皮材)
第１実施例の成形表皮材２５は、図２および図５に示す如く、前記夫々の収容保持部２２を含む前記基材部２１の外面形状に合致する形状に予め一体成形したもので、基材部２１の外面に密着する第１表皮部２６と、各収容保持部２２の保持壁２３外面に密着する第２表皮部２７とからなり、前記基材部２１および収容保持部２２の外面へ全体的に被着されるようになっている。この成形表皮材２５は、例えば樹脂シート材を真空成形したものや、粉末樹脂を所謂パウダースラッシュ成形したもので、塩化ビニルまたはポリオレフィン系の材料等を材質として適宜の弾力性および柔軟性を有している。なお第１表皮部２６および第２表皮部２７の表面には、本革に似せた適宜の「シボ」が形成されている。
【００１１】
(係着部)
そして第１実施例の成形表皮材２５では、図１および図２に示す如く、前記第２表皮部２７全体を硬貨Ｍの外周縁に沿った曲面状に成形することにより、この第２表皮部２７と第１表皮部２６との連設部分が全体的には適宜鋭角状(但し、先端部は曲面とされる)に形成されて収容保持部２２内側へ突出し、硬貨Ｍに対する係着部２８として機能するようになっている。すなわち前記保持壁２３は、曲面部２３ａのみが硬貨Ｍの外周縁に沿うように形成してあるのに対し、第２表皮部２７はその全体が硬貨Ｍの外周縁に沿うように形成してあるため、該第２表皮部２７は保持壁２３の平坦部２３ｂ部分が該保持壁２３から分離して接触しておらず、この部分が前記係着部２８として形成されている。従って、成形表皮材２５に形成された開口部２５ａの開口幅は、硬貨Ｍの直径寸法Ｄよりも適宜小さく設定されている。また係着部２８は、基材部２１および保持壁２３に接触することなく収容保持部２２の内側へ突出しているので、前記硬貨Ｍの収容当接時に弾性的な変形が許容されている。
【００１２】
(係止片部)
また前記成形表皮材２５では、前記基材部２１に形成した係止孔部２４に嵌入係止される係止片部２９が、前記第１表皮部２６の外縁部に所要間隔毎に一体的に形成されている。この係止片部２９は、前記係止孔部２４の幅寸法よりも適宜幅広の鈎部２９ａを有しており、係止孔部２４に嵌入した際にはこの鈎部２９ａが基材部２１裏側に係止されるようになっている。
【００１３】
前述のように成形された成形表皮材２５は、図２および図６に示す如く、例えば両面テープや接着剤またはホットメルト接着剤等により、前記係着部２８を除く部分が、前記基材部２１および収容保持部２２の外面に貼着または接着される。また、図３および図４に示す如く、前記各係止片部２９を対応の係止孔部２４へ嵌入係止させることで、第１表皮部２６の外縁部が基材部２１から捲れ上がることが防止される。これにより成形表皮材２５は、基材部２１および各収容保持部２２の外面へ全体的に被着固定される。但し前記係着部２８は、基材部２１および収容保持部２２に接触していないので、弾性的な変形が可能となっている。
【００１４】
このように、成形表皮材２５を被着した第１実施例に係るコインホルダ２０では、夫々の収容保持部２２に適合した硬貨Ｍを収容するに際しては、前記開口部２５ａが該硬貨Ｍの直径寸法Ｄよりも幅狭に設定されていることにより、当該硬貨Ｍの外周縁部が前記係着部２８,２８と干渉するようになる。しかしながら、硬貨Ｍを収容保持部２２へ押込むように押圧した際には、前記係着部２８,２８が押圧変形され、該硬貨Ｍの収容保持部２２内への収容が許容される。そして、硬貨Ｍが収容保持部２２へ完全に収容された際には、図１に示す如く、第２表皮部２７全体が該硬貨Ｍの外周縁に沿って延在するようになり、各係着部２８,２８により当該硬貨Ｍが保持されるようになる。これにより収容保持部２２内の硬貨Ｍは、例えば車両が振動したとしてもがたつきが防止されると共に、該収容保持部２２から外へ飛び出すこともない。また、収容保持部２２全面が成形表皮材２５で被覆されているので、万一硬貨Ｍが収容保持部２２内でがたついたとしても、異音の発生が好適に防止される。更に、成形表皮材２５の表面に「シボ」が形成されているので、コインホルダ２０自体の質感が向上している。
【００１５】
【第２実施例】
図７は、本発明の第２実施例に係る物品ホルダの側断面図であって、前記フロアコンソール１０における上面パネル１１の平坦部１１ｂに設けたカップホルダ３０を例示している。この第２実施例に係るカップホルダ３０では、前記上面パネル１１に基材部３１が一体成形されると共に、この基材部３１および該基材部３１に形成された収容保持部３２の外面全体に、別途成形された成形表皮材３５を被着固定して構成されている。
【００１６】
(基材部)
前記基材部３１は、図１５に示した従来のカップホルダと基本的に同一形状に成形されており、オーバル形状を呈する該基材部３１には、２本の５００ｃｃサイズの飲料容器Ｎ(ペットボトル)を直立状態で横並びに収容し得る収容保持部３２が形成されている。また基材部３１には、図７および図９に示す如く、前記収容保持部３２に沿って延在する係止溝部３４が形成され、成形表皮材３５に形成した後述の係止片部３９が嵌入係止されるようになっている。また、収容保持部３２を画成する保持壁３３には、前記成形表皮材３５に形成した後述の係着部３８の変形を許容する通口３３ａが、夫々の係着部３８に整合する位置に形成されている。
【００１７】
(成形表皮材)
第２実施例の成形表皮材３５は、図７〜図９に示す如く、前記収容保持部３２を含む前記基材部３１の外面形状に合致する形状に予め一体成形されたもので、基材部３１の外面に密着する第１表皮部３６と、収容保持部３２の保持壁３３の外面に密着する第２表皮部３７とからなり、前記基材部３１および収容保持部３２に外面へ全体的に被着されるようになっている。また第２表皮部３７における対向壁面の中央には、互いに対向する平面略台形状の膨出部３７ａ,３７ａが形成されており、収容保持部３２内を第１収容保持部３２ａおよび第２収容保持部３２ｂに区画形成している。この成形表皮材３５は、前記第１実施例と同様に、例えば樹脂シート材を真空成形したものや、粉末樹脂を所謂パウダースラッシュ成形したもので、塩化ビニルやポリオレフィン系の材料等を材質として適宜の弾力性および柔軟性を有している一方、その表面には適宜の「シボ」が形成されている。
【００１８】
(係着部)
そして第２実施例の成形表皮材３５では、図９に示す如く、第１収容保持部３２ａおよび第２収容保持部３２ｂ毎に、収容した飲料容器Ｎの外面に接触する係着部３８が３つずつ突出成形されている。夫々収容保持部３２ａ,３２ｂの各係着部３８は、水平方向へ１２０度ずつ離間した位置で該収容保持部３２ａ,３２ｂの中央を指向する山形状に突出形成され、常にはこの突出状態に形状保持されているが、半径方向外方へ変形し得るようになっている。そして夫々の係着部３８は、図８に示す如く、例えば２５０ｃｃの飲料容器(ジュース缶)Ｎを収容保持部３２ａ,３２ｂに収容する際は、殆ど変形することなく当該飲料容器Ｎの収容を許容すると共に該容器Ｎの外周面に接触するように設定されている。一方、５００ｃｃの飲料容器(ペットボトル)Ｎを該収容保持部３２ａ,３２ｂに収容する際には、夫々の係着部３８は半径方向外方へ押圧されて弾性変形し、これにより当該飲料容器Ｎの収容を許容すると共に該容器Ｎの外周面に接触するように設定されている。
【００１９】
(係止片部)
また前記成形表皮材３５では、前記第１表皮部３６の外縁部に、前記基材部３１に形成した係止溝部３４に嵌入係止される係止片部３９が形成されている。なお第２実施例では、係止片部３９が第１表皮部３６の外周縁に連続的に延在する形態とされるため、これに伴って前記係止溝部３４は、基材部３１の外周縁に連続的に延在形成されている。
【００２０】
前述のように成形された成形表皮材３５は、例えば両面テープや接着剤またはホットメルト接着剤等により、図９に示す如く、前記基材部３１および収容保持部３２の外面へ貼着または接着される。また、前記各係止片部３９を対応の係止溝部３４へ嵌入係止させることで、第１表皮部３６の外縁部が基材部３１から捲れ上がることが防止される。これにより成形表皮材３５は、基材部３１および収容保持部３２の外面全体に被着固定される。但し前記各係着部３８は、夫々の通口３３ａに整合して収容保持部３２(保持壁３３)の外面に接触することなく該収容保持部３８の内側へ突出しているので、弾性的な変形が可能となっている。
【００２１】
このように、成形表皮材３５を被着した第２実施例に係るカップホルダ３０では、２５０ｃｃのジュース缶から５００ｃｃのペットボトルまでのサイズの飲料容器Ｎであれば、前記各係着部３８が対応の飲料容器Ｎの大きさに追従して弾性的に変形することにより、当該飲料容器Ｎの収容を許容すると共に該飲料容器Ｎの外面に係着される。これにより、例えば車両が振動したとしても、各収容保持部３２ａ,３２ｂ内での飲料容器Ｎのがたつきの生ずることが防止されると共に、万一飲料容器Ｎが収容保持部３２ａ,３２ｂ内でがたついたとしても、異音の発生が好適に防止される。更に、成形表皮材３５の表面に「シボ」が形成されているので、カップホルダ３０自体の質感が向上している。
【００２２】
【第３実施例】
図１０は、本発明の第３実施例に係る物品ホルダの側断面図であって、前記フロアコンソール１０における収容箱体１２に設けたＣＤホルダ４０を例示している。この第３実施例に係るＣＤホルダ４０は、前記収容箱体１２に基材部４１が一体成形されると共に、この基材部４１全体が収容保持部４２とされ、この基材部４１の外面全体に別途成形された成形表皮材４５を被着固定して構成されている。
【００２３】
(基材部)
前記基材部４１は、図１５に示した従来のＣＤホルダと基本的に同一形状に成形されており、その全体が収容保持部４２として例えば１０枚程度のＣＤケースＫを、並列状態で収容し得るようになっている。また基材部４１の上縁部には、図１０および図１１に示す如く所要間隔毎に係止孔部４４が形成され、成形表皮材４５に形成した後述の係止片部４９が対応的に嵌入係止されるようになっている。また、収容保持部４２を画成する保持壁４３の底部には、前記成形表皮材４５に形成した係着突部５０が係着する係着孔４３ａが成形されている。
【００２４】
(成形表皮材)
第３実施例の成形表皮材４５は、図１０および図１２に示す如く、収容保持部４２の保持壁４３の外面形状に合致する形状に予め一体成形された表皮部４６からなり、該収容保持部４２の外面へ全面的に被着されるようになっている。また表皮部４６における対向側壁面４６ａ,４６ａの上端縁内側には、内側へ一体的に突出した係着部４８が、ＣＤケースＫに固有の厚み寸法に見合った間隔毎に形成されている。また、前記側壁面４６ａ,４６ａと底壁面４６ｂとの隅角部には、内側へ突出した膨出部４７が、ＣＤケースＫに固有の厚み寸法に見合った間隔毎に形成されている。更に底壁面４６ｂには、前記各係着孔４３ｂに対応した係着突部５０が下方へ突出形成されている。この成形表皮材４５は、前記第１実施例と同様に、例えば樹脂シート材を真空成形したものや、粉末樹脂を所謂パウダースラッシュ成形したもので、塩化ビニルやポリオレフィン系の材料等を材質として適宜の弾力性および柔軟性を有している一方、その表面に「シボ」が形成されている。
【００２５】
(係止片部)
また前記成形表皮材４５では、前記表皮部４６の側壁面４６ａ,４６ａの上端縁外側に、前記基材部４１に形成した係止孔部４４に嵌入係止される係止片部４９が形成されている。この係止片部４９は、前記係止孔部４４の幅寸法よりも適宜幅広の鈎部４９ａを有しており、係止孔部４４に嵌入した際にはこの鈎部４９ａが、基材部４１裏側に係止されるようになっている(図１１)。
【００２６】
前述のように成形された成形表皮材４５は、例えば両面テープや接着剤またはホットメルト接着剤等により、前記基材部４１(収容保持部４２)の外面に対して貼着または接着される。また、前記各係止片部４９を対応の係止孔部４４へ嵌入係止させることで、表皮部４６に上縁部が基材部４１から捲れることが防止される。更に前記各係着突部５０を、対応の係着孔４３ａに嵌合係着する。これにより成形表皮材４５は、基材部４１(収容保持部４２)の外面全体に好適に被着固定される。但し、前記各係着部４８および各膨出部４７は、前記収容保持部４２の保持壁４３に接触することなく該収容保持部４２の内側へ突出しているので、弾性的な変形が可能となっている。
【００２７】
このように、成形表皮材４５を被着した第３実施例に係るＣＤホルダ４０では、各係着部４８および各膨出部４７の間にＣＤケースＫを上方からスライド挿入することにより、該ＣＤケースＫの下側が前記膨出部４７,４７で両側から保持されると共に、該ケースＫの上側が前記係着部４８,４８で両側から保持される。しかも前記係着部４８および膨出部４７が、ＣＤケースＫの外面に弾性的に係着するので、該ＣＤケースＫは収容保持部４２内で好適に姿勢保持される。これにより、例えば車両が振動したとしても、収容保持部４２内でのＣＤケースＫのがたつきが防止されると共に、万一ＣＤケースＫが収容保持部４２内でがたついたとしても、異音の発生が好適に防止される。また、成形表皮材４５の表面に「シボ」が形成されているので、ＣＤホルダ４０自体の質感が向上している。
【００２８】
本発明が対象とする物品ホルダは、前記第１実施例におけるコインホルダ２０、第２実施例に係るカップホルダ３０、第３実施例に係るＣＤホルダ４０に限定されるものではなく、この他に例えば、ボールペンやサインペン等に固有の形状・サイズに見合った収容保持部を有してこれらペンを保持し得るペンホルダ、給油カードやテレフォンカード等に固有の形状・サイズに見合った収容保持部を有してこれらカードを保持し得るカードホルダ等も対象とされる。
【００２９】
【発明の効果】
以上説明した如く、本発明に係る物品ホルダによれば、成形表皮材を被着した収容保持部に収容した物品は、該成形表皮材に設けた係着部で弾性的に係着保持されるので、車両が振動したとしても収容保持部内でのがたつきが好適に防止されると共に、万一がたついたとしても異音の発生が好適に防止される有益な効果を奏する。しかも係着部は、収容保持部の外面に接触することなく該収容保持部の内側突出しているので、物品の収容当接時に弾性的な変形が許容され、当該物品を適切に保持することが可能となる。
また予め所要形状に成形された成形表皮材は、基材部に対して両面テープや接着剤で簡単かつ容易に被着固定できると共に、更に成形表皮材側に設けた第１係止部と基材部側に設けた第２係止部とを係止させることにより、該成形表皮材の被着固定が更に確実なものとなる。しかも、樹脂製の基材部および収容保持部が成形表皮材で被覆されるので、物品ホルダ自体の質感向上も図られる。
なお物品ホルダとしては、硬貨を収容保持するコインホルダ、飲料容器を収容保持するカップホルダ、ＣＤケースを収容保持するＣＤホルダ等、各種車両内装部材の所要位置に設けられるものが対象とされる。
【図面の簡単な説明】
【図１】物品ホルダの第１実施例として例示したコインホルダの側断面図であって、成形表皮材を被着した収容保持部に硬貨を収容した状態を示している。
【図２】図１のコインホルダに関して、収容保持部を形成した基材部に、予め所要形状に成形した成形表皮材を被着した状態を示す側断面図である。
【図３】図１のIII−III線断面図である。
【図４】図２のIV−IV線断面図である。
【図５】図１のコインホルダに実施される成形表皮材の概略斜視図である。
【図６】図５に示す成形表皮材をフロアコンソールに成形した基材部に被着する直前状態を示す斜視図である。
【図７】物品ホルダの第２実施例として例示したカップホルダの側断面図であって、収容保持部に成形表皮材を被着した状態を示している。
【図８】図７のカップホルダに関して、成形被覆材を被着した収容保持部に、サイズの異なる飲料容器を収容した状態を示す側断面図である。
【図９】予め所要形状に成形したカップホルダ用の成形表皮材を、フロアコンソールに成形した基材部に被着する直前状態を示す斜視図である。
【図１０】物品ホルダの第３実施例として例示したＣＤホルダの側断面図であって、成形表皮材を被着した収容保持部にＣＤケースを収容した状態を示している。
【図１１】図１０のXI−XI線断面図である。
【図１２】図１０のＣＤホルダに使用される成形表皮材の概略斜視図である。
【図１３】図１２に示した成形表皮材に一体成形した係着部および係止片部の部分斜視図である。
【図１４】各種物品ホルダを設けたフロアコンソールの概略斜視図である。
【図１５】図１４のＹ−Ｙ線断面図である。
【符号の説明】
１０  フロアコンソール(車両内装部材)
２０  コインホルダ(物品ホルダ)
２１,３１,４１  基材部
２２,３２,４２  収容保持部
２３  保持壁
２３ａ  曲面部
２４,３４,４４  係止孔部,係止溝部(第２係止部)
２５,３５,４５  成形表皮材
２７  表皮部
２８,３８,４８ 係着部
２９,３９,４９  係止片部(第１係止部)
３０  カップホルダ(物品ホルダ)
３３  保持壁
３３ａ  通口
３７  表皮部
４０  ＣＤホルダ(物品ホルダ)
４３  保持壁
４６  表皮部
Ｍ  硬貨(物品)
Ｎ  飲料容器(物品)
Ｋ  ＣＤケース(物品)
【図１】
0004474621.tif 000002
【図２】
0004474621.tif 000003
【図３】
0004474621.tif 000004
【図４】
0004474621.tif 000005
【図５】
0004474621.tif 000006
【図６】
0004474621.tif 000007
【図７】
0004474621.tif 000008
【図８】
0004474621.tif 000009
【図９】
0004474621.tif 000010
【図１０】
0004474621.tif 000011
【図１１】
0004474621.tif 000012
【図１２】
0004474621.tif 000013
【図１３】
0004474621.tif 000014
【図１４】
0004474621.tif 000015
【図１５】
0004474621.tif 000016